(57)【要約】【課題】スクリーン本体の巻き皺の発生を防止できるスクリーンを提供する。【解決手段】スクリーン１は、画像が投影される被投影面Ｓを有するスクリーン本体２と、スクリーン本体２の上端部Ｕを保持し、回転することで被投影面Ｓが外側に向くようにスクリーン本体２を上端部Ｕから下端部側まで巻き取る巻取軸３Ｂと、巻取軸３Ｂに沿って延びる形状を有し、スクリーン本体２の被投影面Ｓの裏面ＲＳにおいて、上端部Ｕから下端部側にかけて並列するように取り付けられる複数の支持体５と、巻取軸３Ｂの外面に取り付けられ、巻取軸３Ｂにおける巻取方向Ｒに沿って巻取軸３Ｂの外面からの高さ寸法が小さくなるスペーサー３Ｃとを備える。スクリーン本体２は、上端部Ｕと、複数の支持体５のうち上端部Ｕに最も近接した支持体５Ａの取付位置との間の部位がスペーサー３Ｃの外面に取り付けられている。【選択図】図２
2011013266.tif 000002
【特許請求の範囲】
【請求項１】
画像が投影される被投影面を有するスクリーン本体と、
前記スクリーン本体の一端を保持し、回転することで前記被投影面が外側に向くように前記スクリーン本体を前記一端から他端側まで巻き取る巻取軸と、
前記巻取軸に沿って延びる形状を有し、前記スクリーン本体の前記被投影面の裏面において、前記一端側から前記他端側にかけて並列するように取り付けられる複数の支持体と、
前記巻取軸の外面に取り付けられ、前記巻取軸における巻取方向に沿って前記外面からの高さ寸法が小さくなるスペーサーとを備え、
前記スクリーン本体は、
前記一端と、前記複数の支持体のうち前記一端に最も近接した支持体の取付位置との間の部位が前記スペーサーの外面に取り付けられている
ことを特徴とするスクリーン。
【請求項２】
画像が投影される被投影面を有するスクリーン本体と、
前記スクリーン本体の一端を保持し、回転することで前記被投影面が外側に向くように前記スクリーン本体を前記一端から他端側まで巻き取る巻取軸と、
前記巻取軸に沿って延びる形状を有し、前記スクリーン本体の前記被投影面の裏面において、前記一端側から前記他端側にかけて並列するように取り付けられる複数の支持体と、
前記巻取軸における巻取方向に沿って前記外面からの高さ寸法が小さくなるスペーサーとを備え、
前記スペーサーは、
前記スクリーン本体の前記裏面において、前記一端と、前記複数の支持体のうち前記一端に最も近接した支持体の取付位置との間の部位に取り付けられている
ことを特徴とするスクリーン。
【請求項３】
画像が投影される被投影面を有するスクリーン本体と、
前記スクリーン本体の一端を保持し、回転することで前記被投影面が内側に向くように前記スクリーン本体を前記一端から他端側まで巻き取る巻取軸と、
前記巻取軸に沿って延びる形状を有し、前記スクリーン本体の前記被投影面の裏面において、前記一端側から前記他端側にかけて並列するように取り付けられる複数の支持体と、
前記巻取軸における巻取方向に沿って前記巻取軸の外面からの高さ寸法が小さくなるスペーサーとを備え、
前記スペーサーは、
前記巻取軸により前記スクリーン本体が巻き取られた際に、前記複数の支持体のうち前記一端に最も近接した支持体に対して前記巻取方向の下流側に配設され、前記スクリーン本体の前記被投影面の一部が外面に当接する
ことを特徴とするスクリーン。
【請求項４】
請求項１から請求項３のいずれかに記載のスクリーンにおいて、
前記スペーサーは、
弾性体から構成されている
ことを特徴とするスクリーン。
【発明の詳細な説明】
【技術分野】
【０００１】
本発明は、スクリーンに関する。
【背景技術】
【０００２】
従来、プロジェクター等から投射された画像が投影されるスクリーン本体を有するスクリーンとして、非使用時にスクリーン本体を巻き取って収納する巻取り式スクリーンが広く普及している。
具体的に、巻取り式スクリーンは、スクリーン本体の一端を巻取軸の外面に取り付け、巻取軸を回転させることで、スクリーン本体を一端から他端側まで巻き取る。
このような巻取り式スクリーンでは、巻取軸の外面と、巻取軸の外面に取り付けられたスクリーン本体の厚みとによる段差（以下、第１段差）が生じるものである。そして、巻取軸にてスクリーン本体を巻き取った収納状態で長期間、放置すると、スクリーン本体において、第１段差と重なる位置に、筋状の曲げ癖（以下、巻き皺）が跡となって残ってしまう。
このような巻き皺が生じると、スクリーンの使用時において、スクリーン本体の平面度を良好に維持することができず、投影画像を良好に表示できないものとなってしまう。
【０００３】
そこで、従来、以下に示すように、巻き皺の発生を防止する巻取り式スクリーンが提案されている（例えば、特許文献１参照）。
特許文献１に記載の技術では、巻取軸の外面に、巻取軸の巻取方向の上流から下流にかけて径の高さを高くした段差部を形成している。そして、巻取軸の外面において、スクリーン本体の一端側を段差部に対して巻取方向の上流側に取り付けている。
以上のような構成により、段差部の高さによって第１段差を緩やかにして、巻き皺の発生を防止している。
【先行技術文献】
【特許文献】
【０００４】
【特許文献１】特開２００７−３２８１５４号公報
【発明の概要】
【発明が解決しようとする課題】
【０００５】
ところで、スクリーンの使用時において、スクリーン本体の平面度を向上させるためには、以下のような構成とすることが考えられる。
すなわち、巻取軸に沿って延びる形状を有する複数の支持体を、スクリーン本体における画像が投影される被投影面の裏面において、巻取軸に取り付けられる一端側から他端側にかけて並列するように取り付ける。
このような構成とすれば、複数の支持体の剛性や自重により、スクリーン本体の平面度を向上させることができる。
【０００６】
そして、特許文献１に記載の巻取り式スクリーンでは、スクリーン本体の一端側を段差部に対して巻取方向の上流側に取り付けているため、上述した複数の支持体を採用した場合には、以下に示すように、第１段差とは異なる位置に第２段差や第３段差が生じてしまう。すなわち、スクリーン本体において、第２段差や第３段差と重なる位置に、巻き皺が発生してしまう、という問題がある。
例えば、被投影面が外側に向くように（裏面（複数の支持体）が内側に向くように）、巻取軸にてスクリーン本体を巻き取る構成とした場合には、以下に示すように第２段差が生じることとなる。
すなわち、スクリーン本体は、巻取軸の外面との間に支持体が介在することとなるため、一端側からスクリーン本体の一端に最も近接した支持体（近接支持体）の取付位置にかけて外側に膨らむこととなり、近接支持体の取付位置近傍に第２段差が生じることとなる。
【０００７】
また、被投影面が内側に向くように（裏面（複数の支持体）が外側に向くように）、巻取軸にてスクリーン本体を巻き取る構成とした場合には、以下に示すように第３段差が生じることとなる。
すなわち、スクリーン本体において、巻取軸に２重に巻き取られる際に、当該２重目のスクリーン本体は、１重目（巻取軸の外面に直接、当接した部分）のスクリーン本体との間に支持体が介在することとなるため、近接支持体により外側に膨らむこととなり、近接支持体の位置近傍に第３段差が生じることとなる。
【０００８】
本発明の目的は、スクリーン本体の巻き皺の発生を防止できるスクリーンを提供することにある。
【課題を解決するための手段】
【０００９】
本発明のスクリーンは、画像が投影される被投影面を有するスクリーン本体と、前記スクリーン本体の一端を保持し、回転することで前記被投影面が外側に向くように前記スクリーン本体を前記一端から他端側まで巻き取る巻取軸と、前記巻取軸に沿って延びる形状を有し、前記スクリーン本体の前記被投影面の裏面において、前記一端側から前記他端側にかけて並列するように取り付けられる複数の支持体と、前記巻取軸の外面に取り付けられ、前記巻取軸における巻取方向に沿って前記外面からの高さ寸法が小さくなるスペーサーとを備え、前記スクリーン本体は、前記一端と、前記複数の支持体のうち前記一端に最も近接した支持体の取付位置との間の部位が前記スペーサーの外面に取り付けられていることを特徴とする。
【００１０】
本発明では、スクリーンにおいて、巻取軸は、被投影面が外側に向くように（裏面（複数の支持体）が内側に向くように）、スクリーン本体を巻き取る。また、スクリーンは、巻取軸の外面に取り付けられ、巻取軸における巻取方向に沿って巻取軸の外面からの高さ寸法が小さくなるスペーサーを備える。
このことにより、スクリーン本体において、一端及び近接支持体の取付位置の間の部位をスペーサーの外面に取り付けることで、スペーサーの厚み（巻取軸の外面からの高さ寸法）により、一端及び近接支持体の取付位置の間の部位と近接支持体の高さ位置（巻取軸の外面からの高さ位置）とを略同一位置に位置付けることが可能となる。このため、近接支持体の取付位置近傍に生じる第２段差を緩やかにし、第２段差に起因した巻き皺の発生を防止できる。
【００１１】
本発明のスクリーンは、画像が投影される被投影面を有するスクリーン本体と、前記スクリーン本体の一端を保持し、回転することで前記被投影面が外側に向くように前記スクリーン本体を前記一端から他端側まで巻き取る巻取軸と、前記巻取軸に沿って延びる形状を有し、前記スクリーン本体の前記被投影面の裏面において、前記一端側から前記他端側にかけて並列するように取り付けられる複数の支持体と、前記巻取軸における巻取方向に沿って前記外面からの高さ寸法が小さくなるスペーサーとを備え、前記スペーサーは、前記スクリーン本体の前記裏面において、前記一端と、前記複数の支持体のうち前記一端に最も近接した支持体の取付位置との間の部位に取り付けられていることを特徴とする。
【００１２】
本発明では、スクリーンにおいて、巻取軸は、被投影面が外側に向くように（裏面（複数の支持体）が内側に向くように）、スクリーン本体を巻き取る。また、スクリーン本体の裏面において、一端及び近接支持体の取付位置の間の部位には、巻取軸における巻取方向に沿って巻取軸の外面からの高さ寸法が小さくなるスペーサーが取り付けられている。
このことにより、スクリーン本体の一端側を巻取軸に巻き付けた際に、スペーサーの厚み（巻取軸の外面からの高さ寸法）により、一端及び近接支持体の取付位置の間の部位と近接支持体の高さ位置（巻取軸の外面からの高さ位置）とを略同一の位置に位置付けることが可能となる。このため、近接支持体の取付位置近傍に生じる第２段差を緩やかにし、第２段差に起因した巻き皺の発生を防止できる。
【００１３】
本発明のスクリーンは、画像が投影される被投影面を有するスクリーン本体と、前記スクリーン本体の一端を保持し、回転することで前記被投影面が内側に向くように前記スクリーン本体を前記一端から他端側まで巻き取る巻取軸と、前記巻取軸に沿って延びる形状を有し、前記スクリーン本体の前記被投影面の裏面において、前記一端側から前記他端側にかけて並列するように取り付けられる複数の支持体と、前記巻取軸における巻取方向に沿って前記巻取軸の外面からの高さ寸法が小さくなるスペーサーとを備え、前記スペーサーは、前記巻取軸により前記スクリーン本体が巻き取られた際に、前記複数の支持体のうち前記一端に最も近接した支持体に対して前記巻取方向の下流側に配設され、前記スクリーン本体の前記被投影面の一部が外面に当接することを特徴とする。
【００１４】
本発明では、スクリーンにおいて、巻取軸は、被投影面が内側に向くように（裏面（複数の支持体）が外側に向くように）、スクリーン本体を巻き取る。また、スクリーンは、巻取軸における巻取方向に沿って巻取軸の外面からの高さ寸法が小さくなるスペーサーを備える。
このことにより、例えば、スクリーン本体の裏面において、近接支持体に対して巻取方向の下流側にスペーサーを取り付けておけば、スペーサーの厚みにより、２重目のスクリーン本体の高さ位置と近接支持体の高さ位置とを略同一位置に位置付けることが可能となる。このため、近接支持体の位置近傍に生じる第３段差を緩やかにし、第３段差に起因した巻き皺の発生を防止できる。
【００１５】
本発明のスクリーンでは、前記スペーサーは、弾性体から構成されていることが好ましい。
本発明では、スペーサーは、弾性体から構成されているので、巻取軸によりスクリーン本体が巻き取られた際には、スクリーン本体から加えられる力に応じて厚み寸法が適宜、変更されることとなる。このため、スクリーン本体におけるスペーサーと当接する部位、あるいは、スペーサーの外面に重なる部位がスペーサーにより変形し、巻き皺となることを防止できる。
【図面の簡単な説明】
【００１６】
【図１】第１実施形態におけるスクリーンの概略構成を模式的に示す図。
【図２】第１実施形態における巻取軸の構成を示す図。
【図３】第１実施形態における巻取軸の構成を示す図。
【図４】第２実施形態における巻取軸の構成を示す図。
【図５】第２実施形態における巻取軸の構成を示す図。
【図６】第３実施形態における巻取軸の構成を示す図。
【図７】第３実施形態における巻取軸の構成を示す図。
【図８】第２実施形態の変形例を示す図。
【発明を実施するための形態】
【００１７】
[第１実施形態]
以下、本発明の第１実施形態を図面に基づいて説明する。
〔スクリーンの概略構成〕
図１は、スクリーン１の概略構成を模式的に示す図である。具体的に、図１は、スクリーン本体２が収納体３から引き出された状態（以下、展張状態）を前面側（被投影面Ｓ）側から見た斜視図である。
スクリーン１は、例えば、プロジェクター等から拡大投射された画像が投影される。このスクリーン１は、図１に示すように、スクリーン本体２と、収納体３と、支柱４と、複数の支持体５とを備える。
【００１８】
〔スクリーン本体の構成〕
スクリーン本体２は、可撓性を有するシート状に形成され、入射した画像が投影される。本実施形態では、スクリーン本体２は、入射した画像を反射することで被投影面Ｓ上に投影画像を表示する反射型スクリーンで構成されている。
【００１９】
〔収納体の構成〕
収納体３は、スクリーン１全体を支持する部分であり、スクリーン１の非使用時にはスクリーン本体２（支持体５を含む）を収容する。
なお、本実施形態では、収納体３は、スクリーン１を使用する室内において、例えば、天井面や壁面等に設置される。すなわち、本実施形態のスクリーン１は、スクリーン本体２が収納体３から下方に引き出され、吊り下げられた状態で使用される吊り下げ型のスクリーンで構成されている。
そして、上述した収納体３は、図１に示すように、基体３Ａと、巻取軸３Ｂ（図２、図３）とを備える。
基体３Ａは、左右方向（被投影面Ｓを正面に見た場合での左右方向、以下同様）に延出する略直方体の箱状に形成され、内部に巻取軸３Ｂを回動可能に収納する。
この収納体３において、下方の端面には、具体的な図示は省略したが、スクリーン本体２（支持体５を含む）を内外に進退させるためのスリットが形成されている。
【００２０】
巻取軸３Ｂは、左右方向を回動軸として回動可能とし、スクリーン本体２の上端部（一端）を保持し、スクリーン本体２（支持体５を含む）を上端部から下端部側（他端側）まで順次、巻き取る部材である。この巻取軸３Ｂは、具体的な図示は省略したが、スプリングによりスクリーン本体２の巻取方向に付勢され、スクリーン本体２の引き出し力を緩めると自動的にスクリーン本体２を巻き取る機能を有している。
なお、巻取軸３Ｂの詳細な構成については、後述する。
【００２１】
〔支柱の構成〕
支柱４は、図１に示すように、左右方向に延出する円柱形状を有し、スクリーン本体２の下端部に取り付けられる。
そして、支柱４は、スクリーン本体２の下端部を支持するとともに、例えば、収納体３からスクリーン本体２を引き出す際、あるいは、収納体３にスクリーン本体２を収納する際に利用者により把持される。
【００２２】
〔支持体の構成〕
複数の支持体５は、図１に示すように、左右方向に延出する円柱形状を有し、スクリーン本体２における被投影面Ｓの裏面ＲＳにおいて、上端部から下端部にかけて所定の間隔を空けて取り付けられている。
そして、複数の支持体５は、展張状態において、スクリーン本体２の平面度を維持する。
具体的に、複数の支持体５は、スクリーン本体２の左右方向に沿うように取り付けられているため、各支持体５の剛性により、スクリーン本体２において、左右両端部に対して他の領域が前後方向にずれることを抑制している。
【００２３】
また、複数の支持体５は、スクリーン本体２の上下方向に沿って並設されているため、展張状態において、各支持体５の自重により、スクリーン本体２に対して上下方向に張力を加えることとなる。
さらに、複数の支持体５がスクリーン本体２の上下方向に沿って所定間隔を空けて並設されているため、スクリーン本体２において、複数の支持体５が取り付けられていない領域のみが湾曲が生じやすい自由な領域となる。しかしながら、例えば、複数の支持体５が設けられていないスクリーン本体２と比較して、上記自由な領域の上下方向の長さ寸法を短いものとすることができる。すなわち、複数の支持体５が設けられていない場合には上記自由な領域の上下方向の長さ寸法は巻取軸３Ｂから支柱４までの長さ寸法であるところ、本実施形態では上記自由な領域の上下方向の長さ寸法は隣接する各支持体５間の距離寸法となる。
したがって、複数の支持体５は、スクリーン本体２に対して上下方向に張力を加えつつ、上記自由な領域の上下方向の長さ寸法を短く設定することにより、スクリーン本体２において、上下両端部に対して他の領域が前後方向にずれることを抑制している。
【００２４】
〔巻取軸の構成〕
図２及び図３は、巻取軸３Ｂの構成を示す図である。具体的に、図２は巻取軸３Ｂの斜視図であり、図３は巻取軸３Ｂの断面図である。
巻取軸３Ｂは、図２または図３に示すように、左右方向に延出する円筒形状を有し、スプリング（図示略）の付勢力により、スクリーン本体２（支持体５を含む）を巻取方向Ｒに沿って巻き取る。
そして、巻取軸３Ｂの外面には、図２または図３に示すように、スペーサー３Ｃが取り付けられている。
【００２５】
スペーサー３Ｃは、ゴム等の弾性体から構成されている。また、スペーサー３Ｃは、図２または図３に示すように、巻取軸３Ｂの長さ寸法と略同一の長さ寸法を有するように左右方向に延出するとともに、巻取方向Ｒの上流から下流にかけて厚み寸法（巻取軸３Ｂからの高さ寸法）が次第に小さくなるように形成されている。
より具体的に、スペーサー３Ｃにおいて、巻取方向Ｒの上流側の厚み寸法は、支持体５の径寸法と略同一となるように設定されている。また、スペーサー３Ｃにおいて、巻取軸３Ｂに当接する面は巻取軸３Ｂの外面に倣って断面視円弧形状となるように形成され、巻取軸３Ｂに離間する面も同様に断面視円弧形状となるように形成されている。
【００２６】
そして、スクリーン本体２は、図２または図３に示すように、上端部Ｕと、複数の支持体５のうち展張状態において最も上端部Ｕに近接した支持体５Ａ（以下、近接支持体５Ａ）の取付位置との間の部位の裏面ＲＳがスペーサー３Ｃの外面に貼り付けられることで巻取軸３Ｂに保持される。
すなわち、巻取軸３Ｂは、被投影面Ｓが外側に向くように（裏面ＲＳ（複数の支持体５）が内側に向くように）、スクリーン本体２を上端部Ｕから下端部Ｄ（図１）側まで順次、巻き取る。
【００２７】
上述した第１実施形態によれば、以下の効果がある。
本実施形態では、スクリーン１において、巻取軸３Ｂは、被投影面Ｓが外側に向くようにスクリーン本体２を巻き取る。また、スクリーン１は、巻取軸３Ｂの外面に取り付けられ、巻取方向Ｒに沿って厚み寸法が小さくなるスペーサー３Ｃを備える。
このことにより、スクリーン本体２において、上端部Ｕと近接支持体５Ａの取付位置との間の部位をスペーサー３Ｃの外面に取り付けることで、スペーサー３Ｃの厚みにより、上端部Ｕ及び近接支持体５Ａの取付位置の間の部位と、近接支持体５Ａの高さ位置（巻取軸３Ｂの外面からの高さ位置）とを略同一位置に位置付けることが可能となる。このため、近接支持体５Ａの取付位置近傍に生じる第２段差を緩やかにし、当該第２段差に起因した巻き皺の発生を防止できる。
【００２８】
特に、本実施形態では、スペーサー３Ｃにおいて、巻取方向Ｒの上流側の厚み寸法を支持体５（近接支持体５Ａ）の径寸法と略同一となるように設定しているので、上述した段差を略０に設定できる。
また、スペーサー３Ｃの外面を断面視略円弧状に形成したので、スクリーン本体２において、スペーサー３Ｃの外面に重なる部位にも巻き皺が発生することがない。
【００２９】
また、スペーサー３Ｃは、ゴム等の弾性体から構成されているので、巻取軸３Ｂによりスクリーン本体２が巻き取られた際には、スクリーン本体２から加えられる力に応じて厚み寸法が適宜、変更されることとなる。このため、スクリーン本体２におけるスペーサー３Ｃと当接する部位、あるいは、スペーサー３Ｃの外面に重なる部位がスペーサー３Ｃにより変形し、巻き皺となることを防止できる。
【００３０】
[第２実施形態]
次に、本発明の第２実施形態を図面に基づいて説明する。
以下の説明では、前記第１実施形態と同様の構造及び同一部材には同一符号を付して、その詳細な説明は省略または簡略化する。
図４及び図５は、第２実施形態における巻取軸３Ｂの構成を示す図である。具体的に、図４及び図５は、図２及び図３にそれぞれ対応する図である。
前記第１実施形態では、スペーサー３Ｃは、巻取軸３Ｂの外面に取り付けられていた。
これに対して本実施形態では、スペーサー３Ｃは、図４または図５に示すように、スクリーン本体２に取り付けられている。
その他の構成は、前記第１実施形態と同様である。
【００３１】
具体的に、スペーサー３Ｃは、図４に示すように、スクリーン本体２の裏面ＲＳにおいて、上端部Ｕと近接支持体５Ａの取付位置との間の部位に取り付けられている。より具体的には、スペーサー３Ｃは、上端部Ｕと近接支持体５Ａとの中間位置よりも近接支持体５Ａ側で、近接支持体５Ａに近接する位置に取り付けられている。
そして、スクリーン本体２は、図４または図５に示すように、上端部Ｕと、スペーサー３Ｃの取付位置との間の部位の裏面ＲＳが巻取軸３Ｂの外面に貼り付けられることで巻取軸３Ｂに保持される。
すなわち、スペーサー３Ｃは、巻取軸３Ｂにてスクリーン本体２が巻き取られた際に、図５に示すように、巻取軸３Ｂの外面に当接することとなる。
そして、上述したようにスペーサー３Ｃをスクリーン本体２に取り付けた場合であっても、前記第１実施形態と同様の効果を享受できる。
【００３２】
[第３実施形態]
次に、本発明の第３実施形態を図面に基づいて説明する。
以下の説明では、前記第１実施形態と同様の構造及び同一部材には同一符号を付して、その詳細な説明は省略または簡略化する。
図６及び図７は、第３実施形態における巻取軸３Ｂの構成を示す図である。具体的に、図６及び図７は、図２及び図３にそれぞれ対応する図である。
本実施形態は、前記第１実施形態に対して、巻取軸３Ｂによるスクリーン本体２の巻取り方、及びスペーサー３Ｃの配設位置が異なるのみである。
その他の構成は、前記第１実施形態と同様である。
【００３３】
具体的に、スクリーン本体２は、図６または図７に示すように、被投影面Ｓの上端部Ｕ側が巻取軸３Ｂの外面に直接、取り付けられる。
すなわち、巻取軸３Ｂは、被投影面Ｓが内側に向くように（裏面ＲＳ（複数の支持体５）が外側に向くように）、スクリーン本体２を上端部Ｕから下端部Ｄ（図１）側まで順次、巻き取る。
【００３４】
スペーサー３Ｃは、図６または図７に示すように、前記第１実施形態で説明したスペーサー３Ｃと同様の形状を有する。
そして、スペーサー３Ｃは、図６または図７に示すように、巻取軸３Ｂに取り付けられたスクリーン本体２の裏面ＲＳに取り付けられる。
より具体的に、スペーサー３Ｃは、スクリーン本体２の裏面ＲＳにおいて、上端部Ｕと近接支持体５Ａの取付位置との間に取り付けられる。
そして、巻取軸３Ｂによりスクリーン本体２が巻き取られた際には、図６または図７に示すように、スペーサー３Ｃの外面にスクリーン本体２の被投影面Ｓの一部が当接することとなる。
【００３５】
上述した第３実施形態によれば、前記第１実施形態と同様の効果の他、以下の効果がある。
本実施形態では、スクリーン１において、巻取軸３Ｂは、被投影面Ｓが内側に向くように、スクリーン本体２を巻き取る。また、スペーサー３Ｃは、スクリーン本体２の裏面ＲＳにおいて、近接支持体５Ａに対して巻取方向Ｒの下流側に取り付けられている。
このことにより、スペーサー３Ｃの厚みにより、２重目のスクリーン本体２の高さ位置と近接支持体５Ａの高さ位置とを略同一位置に位置付けることが可能となる。このため、近接支持体５Ａの位置近傍に生じる第３段差を緩やかにし、当該第３段差に起因した巻き皺の発生を防止できる。
【００３６】
なお、本発明は前述の実施形態に限定されるものではなく、本発明の目的を達成できる範囲での変形、改良等は本発明に含まれるものである。
前記各実施形態では、第２段差や第３段差の発生を抑制することを主な目的としていたが、従来のように第１段差の発生も抑制するように構成しても構わない。
例えば、前記各実施形態において、第１段差の発生を抑制するために、巻取軸３Ｂの外面に従来と同様の段差部を形成する。
また、例えば、前記各実施形態において、第１段差の発生を抑制するために、スペーサー３Ｃの巻取方向Ｒの下流側に上記段差部に相当する段差部（例えば、図８に示す段差部３Ｃ１参照）を設ける。
【００３７】
図８は、前記第２実施形態の変形例を示す図である。具体的に、図８は、図５に対応した図である。
前記第２実施形態では、スペーサー３Ｃは、巻取軸３Ｂにてスクリーン本体２が巻き取られた際に、巻取軸３Ｂの外面に当接するように構成されていたが、これに限らず、以下に示すように、スクリーン本体２の被投影面Ｓに当接するように構成しても構わない。
例えば、スクリーン本体２は、図８に示すように、上端部Ｕとスペーサー３Ｃの取付位置との間の部位の長さ寸法が巻取軸３Ｂの外面の１周分程度に設定され、当該部位が巻取軸３Ｂの外面に貼り付けられる。
そして、スペーサー３Ｃは、巻取軸３Ｂにてスクリーン本体２が巻き取られた際に、図８に示すように、巻取軸３Ｂの外面に貼り付けられたスクリーン本体２の被投影面Ｓに当接する。
また、スペーサー３Ｃとして、巻取方向Ｒの下流側に、スクリーン本体２の厚み分の段差を有し第１段差の発生を抑制する段差部３Ｃ１を設けても構わない。
このように構成した場合には、スペーサー３Ｃは、巻取軸３Ｂにてスクリーン本体２が巻き取られた際に、巻取軸３Ｂの外面に貼り付けられたスクリーン本体２の被投影面Ｓに当接するとともに、段差部３Ｃ１が巻取軸３Ｂの外面（上端部Ｕに対して巻取方向Ｒの上流側）に当接することとなる。
【００３８】
前記第３実施形態では、スペーサー３Ｃは、スクリーン本体２の裏面ＲＳに取り付けられていたが、これに限らず、近接支持体５Ａに対して巻取方向Ｒの下流側であれば、巻取軸３Ｂの外面に直接、取り付けても構わない。
前記各実施形態において、支持体５の数や断面形状は、前記各実施形態で説明した数や断面形状に限らず、その他の数や断面形状を採用しても構わない。
【産業上の利用可能性】
【００３９】
本発明のスクリーンは、スクリーン本体の巻き皺の発生を防止できるため、プロジェクター等から投射された画像が投影されるスクリーンとして利用できる。
【符号の説明】
【００４０】
１・・・スクリーン、２・・・スクリーン本体、３Ｂ・・・巻取軸、３Ｃ・・・スペーサー、５・・・支持体、Ｓ・・・被投影面、ＲＳ・・・裏面、Ｕ・・・上端部（一端）、Ｄ・・・下端部（他端）、Ｒ・・・巻取方向。
【図１】
2011013266.tif 000003
【図２】
2011013266.tif 000004
【図３】
2011013266.tif 000005
【図４】
2011013266.tif 000006
【図５】
2011013266.tif 000007
【図６】
2011013266.tif 000008
【図７】
2011013266.tif 000009
【図８】
2011013266.tif 000010